(57)【特許請求の範囲】
【請求項１】
容器内にチャバネゴキブリを捕獲するゴキブリ捕獲器であって、
前記容器には、チャバネゴキブリが当該容器内に侵入するための侵入口と、断面積が一定の筒状の侵入路とが形成されており、前記侵入口は、前記侵入路の先端に形成され、
前記侵入口から、前記容器における当該侵入口の直下の部分までの距離は、２１ｍｍ〜２７ｍｍであるゴキブリ捕獲器。
【請求項２】
請求項１に記載のゴキブリ捕獲器であって、
前記容器には、断面積が一定の筒状の侵入路が形成されており、
前記侵入口は、前記侵入路の先端に形成され、
前記侵入路の長さは、４ｍｍ以上であるゴキブリ捕獲器。
【請求項３】
容器内にクロゴキブリを捕獲するゴキブリ捕獲器であって、
前記容器には、クロゴキブリが当該容器内に侵入するための侵入口と、断面積が一定の筒状の侵入路とが形成されており、前記侵入口は、前記侵入路の先端に形成され、
前記侵入口から、前記容器における当該侵入口の直下の部分までの距離は、３９ｍｍ〜４７ｍｍであるゴキブリ捕獲器。
【請求項４】
請求項３に記載のゴキブリ捕獲器であって、
前記容器には、断面積が一定の筒状の侵入路が形成されており、
前記侵入口は、前記侵入路の先端に形成され、
前記侵入路の長さは、２ｍｍ以上であるゴキブリ捕獲器。
【請求項５】
容器内にチャバネゴキブリ及びクロゴキブリを捕獲するゴキブリ捕獲器であって、
前記容器には、チャバネゴキブリ及びクロゴキブリが当該容器内に侵入するための複数の侵入口と、断面積が一定の筒状の複数の侵入路とが形成されており、前記侵入口は、前記侵入路の先端に形成され、
前記複数の侵入口には、侵入口から、前記容器における当該侵入口の直下の部分までの距離が異なる少なくも２種類の侵入口が含まれており、
２種類のうちの一方の侵入口の前記距離は、１５ｍｍ〜３１ｍｍであり、
２種類のうちの他方の侵入口の前記距離は、２９ｍｍ〜５３ｍｍであるゴキブリ捕獲器。
【請求項６】
請求項１から５の何れか１つに記載のゴキブリ捕獲器であって、
前記容器の底部には、粘着剤が設けられ、
前記容器における前記侵入口の直下には、前記粘着剤を有さない着地部が設けられ、
前記距離は、前記侵入口から前記着地部までの距離であるゴキブリ捕獲器。
【発明の詳細な説明】
【技術分野】
【０００１】
本発明は、容器内にゴキブリを捕獲するゴキブリ捕獲器に関するものである。
【背景技術】
【０００２】
従来より、容器内にゴキブリを誘導し、該容器内に侵入したゴキブリを捕獲するゴキブリ捕獲器が知られている。このようなゴキブリ捕獲器においては、容器内に誘引剤等を設置することによって、ゴキブリを容器内へ誘引している。しかしながら、ゴキブリは、警戒心が非常に強いため、容器内に誘引剤を設けるだけでは、ゴキブリをゴキブリ捕獲器まで引き寄せることはできても、ゴキブリを容器内まで侵入させることは難しい。そこで、特許文献１に係るゴキブリ捕獲器では、天板をすり鉢状に形成すると共に天板にすべり部を設けている。詳しくは、特許文献１に係るゴキブリ捕獲器は、天板と底部とを有する円筒状の容器を備えている。容器内には、誘引剤が設けられている。容器の天板は、すり鉢状に形成され、すり鉢の最深部には侵入口が形成されている。そして、すり鉢の途中にはすべり部が設けられている。このゴキブリ捕獲器においては、誘引剤に誘引されたゴキブリは、容器の天板によじ登り、すり鉢状の天板を侵入口へ向かって進んでいく。すり鉢の途中にはすべり部が存在するため、ゴキブリはすべり部に足を取られて、侵入口から容器内へ落ちるようになっている。
【先行技術文献】
【特許文献】
【０００３】
【特許文献１】実用新案登録第３０５１２７４号公報
【発明の概要】
【発明が解決しようとする課題】
【０００４】
しかしながら、特許文献１に係るゴキブリ捕獲器のように、すべり部を設けたとしても、ゴキブリは、すべり部に対して警戒するようになる。つまり、ゴキブリは、前脚等がすべり部にかかったときに、すべり部の存在に気づき、すべり部に完全に乗り切らない場合がある。このように、容器にすべり部のようなトラップを設ける構成であっても、ゴキブリを効率良く捕獲することは難しい。
【０００５】
ここに開示された技術は、かかる点に鑑みてなされたものであり、その目的とするところは、ゴキブリの警戒心を解いて、ゴキブリを効率良く捕獲することにある。
【課題を解決するための手段】
【０００６】
ここに開示された技術は、容器内にゴキブリを捕獲するゴキブリ捕獲器を対象としている。このゴキブリ捕獲器は、前記容器には、ゴキブリが該容器内に侵入するための侵入口が形成されており、前記侵入口から、前記容器における当該侵入口の直下の部分までの距離は、チャバネゴキブリの平均体長の１．２〜２．４倍となっているものとする。
【０００７】
ここで、「原色図鑑  衛生害虫と衣食住の害虫」（安富和男及び梅谷献二著、全国農村教育協会、１９８３年６月３日、ｐ．３４−３５）によれば、チャバネゴキブリの体長は、１１〜１５ｍｍとされる。そこで、チャバネゴキブリの平均体長を１３ｍｍとする。
【０００８】
前記の構成によれば、前記侵入口から、容器における当該侵入口の直下の部分までの間には距離がある。ゴキブリは警戒心が強いため、当該距離が長すぎると、容器内に降り難い。それに対して、前記侵入口から、容器における当該侵入口の直下の部分までの距離を、チャバネゴキブリの平均体長の１．２〜２．４倍としている。当該距離は、平均体長よりも長いが、チャバネゴキブリが前脚及び後脚を伸ばした全長は、体長よりも長いため、当該侵入口の直下の部分を触角や前脚等で探ることができる。それにより、チャバネゴキブリの警戒心を軽減することができ、チャバネゴキブリが容器内に降りる傾向が高くなる。
【０００９】
一方、当該距離が短すぎると、容器内に一旦侵入したチャバネゴキブリが容器外へ脱出し易くなる。それに対して、当該距離をチャバネゴキブリの平均体長の１．２〜２．４倍としている。当該距離は、前述の如く、チャバネゴキブリが降りる際に前脚及び後脚を伸ばせば、触角や前脚が届く距離ではあるが、登る際に触角や前脚を侵入口に届かせることは難しい。なぜなら、そもそもゴキブリには後脚だけで立ち上がる習性はない。侵入口によじ登る際には、前脚で何かを支えながら少しずつ体軸を上方へ向けていき、最終的に、後脚をしっかりと伸ばすと共に前脚を侵入口の縁に掛けることによって、立ち上がったような状態となる。つまり、葡匐性昆虫であるゴキブリは、同じ距離であっても、降りるときと登るときとでは状況が異なる。よって、当該距離を前述のように設定することによって、チャバネゴキブリが容器外へ脱出し難くすることができる。
【００１０】
したがって、前記侵入口から容器における当該侵入口の直下の部分までの距離をチャバネゴキブリの平均体長の１．２〜２．４倍とすることによって、容器内へ降りる際にはチャバネゴキブリの警戒を解きつつ、容器から出る際には脱出し難くすることができる。
【００１１】
また、別のゴキブリ捕獲器は、前記容器には、ゴキブリが当該容器内に侵入するための侵入口が形成されており、前記侵入口から、前記容器における当該侵入口の直下の部分までの距離は、クロゴキブリの平均体長の０．８１〜１．５倍となっているものとする。
【００１２】
ここで、前記「原色図鑑  衛生害虫と衣食住の害虫」（安富和男及び梅谷献二著、全国農村教育協会、１９８３年６月３日、ｐ．３４−３５）によれば、クロゴキブリの体長は、３０〜４０ｍｍとされる。そこで、クロゴキブリの平均体長を３５ｍｍとする。
【００１３】
前記の構成によれば、前記侵入口から、容器における当該侵入口の直下の部分までの間には距離がある。ゴキブリは警戒心が強いため、当該距離が長すぎると、容器内に降り難い。それに対して、前記侵入口から、容器における当該侵入口の直下の部分までの距離を、クロゴキブリの平均体長の０．８１〜１．５倍としている。当該距離は、平均体長よりも長いが、クロゴキブリが前脚及び後脚を伸ばした全長は、体長よりも長いため、当該侵入口の直下の部分を触角や前脚等で探ることができる。それにより、クロゴキブリの警戒心を軽減することができ、クロゴキブリが容器内に降りる傾向が高くなる。
【００１４】
一方、当該距離が短すぎると、容器内に一旦侵入したクロゴキブリが容器外へ脱出し易くなる。それに対して、当該距離をクロゴキブリの平均体長の０．８１〜１．５倍としている。ゴキブリには後脚だけで立ち上がる習性がないので、当該距離は、クロゴキブリが侵入口に登る際に触角や前脚を侵入口に届かせることが難しい距離である。よって、当該距離を前述のように設定することによって、クロゴキブリが容器外へ脱出し難くすることができる。
【００１５】
したがって、前記侵入口から容器における当該侵入口の直下の部分までの距離をクロゴキブリの平均体長の０．８１〜１．５倍とすることによって、容器内へ降りる際にはクロゴキブリの警戒を解きつつ、容器から出る際には脱出し難くすることができる。尚、当該距離は、チャバネゴキブリの距離とは異なるが、これは、クロゴキブリとチャバネゴキブリとの体格、体重、運動能力及び警戒心等の差異によるものと考えられる。
【００１６】
さらに、別のゴキブリ捕獲器は、容器内にゴキブリを捕獲するゴキブリ捕獲器であって、前記容器には、ゴキブリが該容器内に侵入するための侵入口が形成されており、前記侵入口から、前記容器における該侵入口の直下の部分までの距離は、１５ｍｍ〜５３ｍｍであるものとする。
【００１７】
前記の構成によれば、侵入口から、前記容器における該侵入口の直下の部分までの距離が、１５ｍｍ〜５３ｍｍに設定されている。この１５ｍｍ〜５３ｍｍという距離は、チャバネゴキブリ及びクロゴキブリの少なくとも一方の、さらには、それの雄及び雌の少なくとも一方にとって降り易く且つよじ登り難い距離である。そのため、日本の屋内に生息する主なゴキブリの雄及び雌の少なくとも１つを効率良く捕獲することができる。
【００１８】
前記容器における該侵入口の直下の部分までの距離は、１５ｍｍ〜３１ｍｍであってもよい。
【００１９】
これにより、特に、チャバネゴキブリを効率良く捕獲することができる。
【００２０】
また、前記容器における該侵入口の直下の部分までの距離は、２９ｍｍ〜５３ｍｍであってもよい。
【００２１】
これにより、特に、クロゴキブリを効率良く捕獲することができる。
【００２２】
さらに、前記容器には、筒状の侵入路が形成されており、前記侵入口は、前記侵入路の先端に形成されていることが好ましい。
【００２３】
ゴキブリは、接触走性を有し、狭いところを好むため、進入路を設けることによって、容器の側壁や天板に侵入口を直接設ける構成と比べて、ゴキブリを侵入口まで導きやすくなる。それに加えて、ゴキブリは、進入路を経て侵入口へ向かわせることによって、ゴキブリを自然と侵入口へ向かう姿勢、即ち、侵入口から容器に降り易い姿勢にすることができる。その結果、ゴキブリを容器内へスムーズに導くことができる。
【発明の効果】
【００２４】
前記ゴキブリ捕獲器によれば、前記侵入口から前記容器における当該侵入口の直下の部分までの距離をチャバネゴキブリの平均体長の１．２〜２．４倍とすることによって、チャバネゴキブリを効率良く捕獲することができる。
【００２５】
また、前記侵入口から前記容器における当該侵入口の直下の部分までの距離をクロゴキブリの平均体長の０．８１〜１．５倍とすることによって、クロゴキブリを効率良く捕獲することができる。
【００２６】
さらに、前記侵入口から前記容器における当該侵入口の直下の部分までの距離を１５ｍｍ〜５３ｍｍとすることによって、雄のチャバネゴキブリ、雌のチャバネゴキブリ、雄のクロゴキブリ及び雌のクロゴキブリの少なくとも１つを効率良く捕獲することができる。
【図面の簡単な説明】
【００２７】
【図１】実施形態１に係るゴキブリ捕獲器の斜視図である。
【図２】ゴキブリ捕獲器の断面図である。
【図３】実施形態２に係るゴキブリ捕獲器の断面図である。
【図４】実施形態３に係るゴキブリ捕獲器の断面図である。
【図５】実験Ｉに用いた装置の斜視図である。
【図６】実験IIに用いた装置の斜視図である。
【図７】雄のチャバネゴキブリについての、距離Ｄに対する降り率及び脱出率を示すグラフである。
【図８】雌のチャバネゴキブリについての、距離Ｄに対する降り率及び脱出率を示すグラフである。
【図９】雌雄合わせたチャバネゴキブリについての、距離Ｄに対する降り率及び脱出率を示すグラフである
【図１０】雄のクロゴキブリについての、距離Ｄに対する降り率及び脱出率を示すグラフである。
【図１１】雌のクロゴキブリについての、距離Ｄに対する降り率及び脱出率を示すグラフである。
【図１２】雌雄合わせたクロゴキブリについての、距離Ｄに対する降り率及び脱出率を示すグラフである。
【図１３】チャバネゴキブリについての、侵入路の長さに対する、ゴキブリを捕獲するまでの所要時間を示すグラフである。
【図１４】クロゴキブリについての、侵入路の長さに対する、ゴキブリを捕獲するまでの所要時間を示すグラフである。
【発明を実施するための形態】
【００２８】
以下、例示的な実施形態を図面に基づいて詳細に説明する。
【００２９】
《発明の実施形態１》
図１に、本実施形態１に係るゴキブリ捕獲器の斜視図を、図２に、ゴキブリ捕獲器の断面図を示す。
【００３０】
ゴキブリ捕獲器１は、ゴキブリを捕獲するための容器１０を備えている。容器１０は、上部が開口する容器本体２と、容器本体２の上部開口に取り付けられる蓋部材３と、蓋部材３の周縁から末広がりに垂れ下がるスロープ部４とを有している。このゴキブリ捕獲器１は、チャバネゴキブリを主な捕獲対象としている。ここで、「主な」とは、その対象とするゴキブリが最もよく捕れることを意味し、その対象とするゴキブリ以外のゴキブリが捕れることを排除するものではない。すなわち、例えば、チャバネゴキブリを主な捕獲対象とする場合、ゴキブリ捕獲器１を、チャバネゴキブリとそれ以外の少なくとも１種類のゴキブリとが同数存在する環境下に設置したときに、チャバネゴキブリが最もよく捕れることを意味する。
【００３１】
容器本体２は、円盤状の底部２１と、底部２１の周縁部から立設する概ね円筒状の側壁２２とを有し、有底の略円筒形状をしている。容器本体２内には、粘着剤２４が収容されている。容器本体２の底部２１の中央には、ゴキブリが着地するための着地台２３が設けられている。着地台２３の上面（即ち、着地面）は、捕獲能力が無い、即ち、粘着性を有さない面であって、ゴキブリに警戒心を与えないように構成されている。着地台２３の上部は、粘着剤２４の液面よりも突出している。着地台２３上には誘引剤２５が載置されている。容器本体２内には、捕らえられて底部に沈み込んだゴキブリが粘着剤２４に完全に覆われるだけの量以上の粘着剤２４を収容している。この粘着剤２４の量は、捕獲するゴキブリの種類、量に応じて設定され得る。
【００３２】
本実施形態では、チャバネゴキブリを主な捕獲対象としているため、粘着剤２４の厚さ（粘着剤２４の表面から、容器本体２の最も深い部分までの深さ）は、５ｍｍ程度に設定されている。ただし、クロゴキブリやワモンゴキブリを主な捕獲対象とする場合には、粘着剤２４の厚さは１０ｍｍ以上に設定することが好ましい。
【００３３】
前記粘着剤２４は、ゴキブリＣを捕らえると共に、捕らえたゴキブリＣを前記容器本体２の底部２１へ沈み込ませていくものである。つまり、粘着剤２４には、ゴキブリＣを逃がすことなく捕らえることができる粘着性と、捕らえたゴキブリＣがその自重で沈んでいくだけの柔軟性とを備えている。粘着剤２４は、一例として、ポリブテンで構成されている。粘着剤２４の、４０℃における動粘度は、４５０００〜３２００００ｍｍ２／ｓであることが好ましい。こうすることで、粘着剤２４はそれに触れたゴキブリＣに粘り着いて、ゴキブリＣを捕らえることができると共に、捕らえたゴキブリＣを容器本体２の底部２１へ向かって粘着剤２４の内部へ沈み込ませることができる。つまり、動粘度を４５０００ｍｍ２／ｓ以上とすることによって、粘着剤２４の粘着力を十分確保することができる。そのため、粘着剤２４に触れたゴキブリＣに粘着剤２４が粘り着いて、ゴキブリＣの自由を奪い、ゴキブリＣが粘着剤２４から逃げ出すことを抑止することができる。また、動粘度を３２００００ｍｍ２／ｓ以下とすることによって、ゴキブリＣを沈み込ませるだけの、粘着剤２４の軟らかさを確保することができる。そのため、粘着剤２４で捕らえたゴキブリＣを、容器本体２の底部２１へ向かって粘着剤２４内へ沈み込ませることができる。
【００３４】
例えば、粘着剤２４としては、日石ポリブテン（製品名）のグレードＨＶ−１９００（数平均分子量：２９００Ｖ．Ｐ．Ｏ、４０℃における動粘度：１６００００ｍｍ２／ｓ、流動点：１７．５℃）を用いることが好ましい。また、粘着剤２４としては、日石ポリブテンのグレードＨＶ−３００（数平均分子量：１４００Ｖ．Ｐ．Ｏ、４０℃における動粘度：２６０００ｍｍ２／ｓ、流動点：０℃）やＨＶ−３０００（数平均分子量：３７００Ｖ．Ｐ．Ｏ、４０℃における動粘度：３２００００ｍｍ２／ｓ、流動点：２２．５℃）を用いてもよい。
【００３５】
蓋部材３は、円盤状に形成されている。蓋部材３の周縁部３１は、容器本体２の側壁２２の上端縁に嵌って係合する溝状に形成されている。また、蓋部材３の中央には円筒状の侵入路３２が形成されている。侵入路３２は、蓋部材３から容器本体２の内方へ、鉛直方向下方に延びており、その先端には侵入口３３が形成されている。侵入口３３の直下には、前記着地台２３が位置している。
【００３６】
侵入路３２の直径は、２５ｍｍに設定されている。この直径は、チャバネゴキブリＣの狭いところを好む習性（即ち、接触走性）に鑑みて設定された値であり、チャバネゴキブリＣが侵入し易い値となっている。また、侵入路３２の断面積は、着地台２３の着地面の面積よりも小さくなっている。ただし、この侵入路３２の直径は、一例であって、チャバネゴキブリＣの習性を考慮することなく、大きな直径としてもよい。
【００３７】
また、侵入路３２の長さは４ｍｍに設定されている。この侵入路３２の長さは、チャバネゴキブリＣの体（即ち、体軸）が概ね侵入路３２の軸方向（即ち、延びる方向）を向く長さに設定されている。この長さは、任意の値に設定してもよいが、４ｍｍ以上の範囲に設定することが好ましい。これにより、チャバネゴキブリＣの体軸を侵入口３３の方へ向けることができ、その結果、着地台２３へ向かわせ易くなる。
【００３８】
ここで、侵入口３３から、着地台２３までの距離（詳しくは、侵入口３３の周縁から、容器１０における侵入口３３の直下の部分である、着地台２３及び誘引剤２５までの最短距離）Ｄは、２３ｍｍに設定されている。この距離Ｄは、チャバネゴキブリＣが着地台２３へ降り易く且つ、着地台２３へ降りたチャバネゴキブリＣが侵入路３２へよじ登り難い距離に設定されている。尚、距離Ｄは、１５ｍｍ〜３１ｍｍの範囲であればよい。チャバネゴキブリは、一般的に、体長が１１〜１５ｍｍであり、前脚及び後脚を伸ばした全長は２０〜２４ｍｍである。チャバネゴキブリの平均体長を１３ｍｍとすると、距離Ｄは、平均体長の１．２〜２．４倍である。
【００３９】
このように構成されたゴキブリ捕獲器１においては、誘引剤２５に誘引されたチャバネゴキブリＣは、スロープ部４を介して蓋部材３まで登ってくる。蓋部材３まで登ってきたチャバネゴキブリＣは、誘引剤２５に誘われて侵入路３２内へ侵入する。侵入路３２へ侵入したチャバネゴキブリＣは、侵入路３２に沿って、鉛直下向きの姿勢となる。やがて、チャバネゴキブリＣは、鉛直下向きの姿勢のまま、侵入路３２の下端の侵入口３３まで進む。この侵入口３３の直下には、誘引剤２５が載置された着地台２３が位置している。侵入口３３から着地台２３までの距離Ｄは、チャバネゴキブリＣが無理なく降りられる距離に設定されている。例えば、距離Ｄが、チャバネゴキブリＣが後脚を侵入口３３に掛けた状態で前脚又は触角を着地台２３上に接触させることができる距離であれば、チャバネゴキブリＣはそのような状態となって着地台２３上の危険度を探る。そうして、チャバネゴキブリＣは、着地台２３上の安全を確認した上で、着地台２３へ着地する。あるいは、距離Ｄが、前脚又は触角を着地台２３に接触させることができない距離であってもチャバネゴキブリＣにとってあまり離れていない距離である場合には、チャバネゴキブリＣは、侵入口３３から着地台２３へ警戒することなく飛び降りる。
【００４０】
その後、チャバネゴキブリＣは、容器１０外へ出ようと、着地台２３から侵入口３３へよじ登ろうとするが、着地台２３から侵入口３３までの距離Ｄは、チャバネゴキブリＣの触角や前脚が届き難い距離に設定されている。仮に、チャバネゴキブリＣの前脚が侵入口３３に掛かったとしても、よじ登りのための十分な姿勢をとることができなければ、侵入路３２によじ登るのは難しい。そのため、チャバネゴキブリＣは容器１０外へ逃げ出すことが難しい。侵入口３３から脱出できないチャバネゴキブリＣは、着地台２３の周辺を囲む粘着剤２４に脚を踏み入れる。粘着剤２４は、粘着剤２４に触れたチャバネゴキブリＣの身動きが不自由になる程度の粘着性を有している。そのため、粘着剤２４は、チャバネゴキブリＣに粘り着いてチャバネゴキブリＣの身動きを拘束して、チャバネゴキブリＣを捕らえる。また、この粘着剤２４は、チャバネゴキブリＣの自重によりチャバネゴキブリＣが容器２の底部に沈み込んでいく程度の動粘度を有している。そのため、粘着剤２４が粘り着いて、身動きが取り難くなったチャバネゴキブリＣは、容器本体２の底部２１に向かって粘着剤２４の内部へ、しだいに沈んでいく。ここで、粘着剤２４は、粘着剤２４に触れたチャバネゴキブリＣを逃がすことなく捕獲できる程度の動粘度を有しているため、チャバネゴキブリＣは粘着剤２４中に瞬時に沈み込むのではなく、時間をかけて徐々に沈み込んでいく。
【００４１】
こうして、チャバネゴキブリＣは、歩脚及び胴体が粘着剤２４で覆われるため、動けなくなる。その結果、チャバネゴキブリＣは動けない、又は死んでいるという安心感をユーザに与えることができる。こうして、チャバネゴキブリＣが逃げ出しそうな不安をユーザに与えないようにして、ゴキブリ捕獲器１に対するユーザの不満を解消することができる。
【００４２】
また、容器本体２内には、容器本体２の底部２１に沈み込んだチャバネゴキブリＣが粘着剤２４に完全に覆われるだけの量以上の粘着剤２４が収容されているため、捕獲したチャバネゴキブリＣを粘着剤２４で完全に覆うことができる。その結果、チャバネゴキブリＣが逃げ出さないという安心感をより強くユーザに与えることができる。また、捕獲したチャバネゴキブリＣが剥き出しになることを防止することができる。その結果、チャバネゴキブリＣの見た目の気持ち悪さを軽減することができる。さらに、ゴキブリ捕獲器１を処理する際に、チャバネゴキブリＣに触れてしまうという不安をなくすことができる。
【００４３】
それに加えて、粘着剤２４を透明に構成することによって、捕獲したチャバネゴキブリＣを視認可能にすることができ、チャバネゴキブリＣが捕獲できたという効果を顕在化させることができる。尚、粘着剤２４中のチャバネゴキブリＣの存在が視認できる程度であれば、粘着剤２４を半透明にしてもよい。粘着剤２４を半透明にすることで、チャバネゴキブリＣの気持ち悪さを軽減することもできる。
【００４４】
また、チャバネゴキブリＣが容器本体２の底部に沈んで粘着剤２４に完全に漬かった状態となると、粘着剤２４の表面には新たな粘着面が形成される。その結果、次々にチャバネゴキブリＣを捕獲することができる。
【００４５】
また、粘着剤２４は、前述の如く、流動性が高いため、ゴキブリ捕獲器１の搬送時や使用時に容器１０が傾くと、粘着剤２４が流動しやすい。ここで、容器１０には、蓋部材３から容器１０内に延びる侵入路３２が設けられているため、侵入路３２を構成する筒状体が漏れ防止として機能する。すなわち、蓋部材３に侵入路３２が設けられておらず、侵入口が直接形成されている場合には、容器１０が何かの拍子に反転して、粘着剤２４が蓋部材３まで流動していったときには、粘着剤２４が侵入口から外部へ漏れ出てしまう。それに対して、侵入路３２が設けられていると、侵入口３３が侵入路３２の長さの分だけ蓋部材３から離れているため、粘着剤２４が侵入口３３から漏れ出ることが防止される。
【００４６】
尚、前記ゴキブリ捕獲器１は、チャバネゴキブリを主な捕獲対象としているが、これに限られるものではない。例えば、ゴキブリ捕獲器１は、チャバネゴキブリを主な捕獲対象としていなくても、少なくともチャバネゴキブリを捕獲するゴキブリ捕獲器であればよい。
【００４７】
また、ゴキブリ捕獲器１は、クロゴキブリを主な捕獲対象とするゴキブリ捕獲器であってもよい。あるいは、ゴキブリ捕獲器１は、少なくともクロゴキブリを捕獲するゴキブリ捕獲器であってもよい（即ち、クロゴキブリを主な捕獲対象とまではしていない）。その場合には、ゴキブリ捕獲器１は、侵入口３３から着地台２３までの距離Ｄが２９〜５３ｍｍ、好ましくは、２９〜４９ｍｍに設定される。この距離Ｄは、クロゴキブリＣが着地台２３へ降り易く且つ、着地台２３へ降りたクロゴキブリＣが侵入路３２へよじ登り難い距離に設定されている。また、侵入路３２の直径は、クロゴキブリの接触走性に鑑みて設定されることが好ましい。また、侵入路３２の長さは、クロゴキブリの体長に鑑みて２ｍｍ以上の値に設定されることが好ましい。クロゴキブリの場合、体軸を侵入口３３の方へ向けるまでいかなくても、侵入口３３の方をのぞき込む程度に体軸を傾けさせることができれば、容器１０内への侵入を促すことができる。そのため、少しでも侵入路２３があれば、クロゴキブリを着地台２３へ向かわせ易くなり、好ましくは、侵入路２３の長さが２ｍｍ以上あればよい。
【００４８】
《実施形態２》
続いて、実施形態２に係るゴキブリ捕獲器２０１について説明する。図３は、ゴキブリ捕獲器２０１の断面図を示す。
【００４９】
実施形態２に係るゴキブリ捕獲器２０１は、チャバネゴキブリとクロゴキブリとの２種類のゴキブリを主な捕獲対象としている点で、実施形態１に係るゴキブリ捕獲器１と異なる。そこで、実施形態１と同様の構成には同様の符号を付して説明を省略し、異なる部分を中心に説明する。
【００５０】
ゴキブリ捕獲器２０１は、実施形態１のゴキブリ捕獲器１と同様に、上部が開口する円筒状の容器本体２０２と、容器本体２０２の上部開口に取り付けられる蓋部材２０３と、蓋部材２０３の周縁から末広がりに垂れ下がるスロープ部４とを有する容器２１０を備えている。
【００５１】
そして、蓋部材２０３には、２種類の侵入路及び侵入口が形成されている。詳しくは、第１侵入路２３２及び第１侵入口２３３は、チャバネゴキブリ用のものであり、第２侵入路２３６及び第２侵入口２３７は、クロゴキブリ用のものである。また、容器本体２０２には、第１侵入口２３３に対応した第１着地台２２３と、第２侵入口２３７に対応した第２着地台２２６とが設けられている。第１及び第２着地台２２３，２２６には、それぞれ誘引剤２５，２５が載置されている。
【００５２】
第１侵入路２３２の形状、直径及び長さは、実施形態１と同様である。また、第１侵入口２３３から、第１着地台２２３までの距離Ｄ１は、実施形態１と同様に、１５〜３１ｍｍの範囲内であって、具体的には２３ｍｍに設定されている。
【００５３】
第２侵入路２３６は、円筒状をしている。第２侵入路２３６の直径は、クロゴキブリＣ２の接触走性に鑑みて設定されており、第１侵入路２３２の直径よりも大きい。また、第２侵入路２３６の長さは、１５ｍｍに設定されている。この長さは、１５ｍｍ以外の任意の値に設定してもよいが、２ｍｍ以上の範囲で設定することが好ましい。そして、第２侵入口２３７から、第２着地台２２６までの距離Ｄ２は、２９〜５３ｍｍの範囲内で、具体的には３９ｍｍに設定されている。この距離Ｄ２は、クロゴキブリＣ２が第２着地台２２６へ降り易く且つ、第２着地台２２６へ降りたクロゴキブリＣ２が侵入路３２へよじ登り難い距離に設定されている。クロゴキブリＣ２は、一般的に、体長が３０〜４０ｍｍである。クロゴキブリの平均体長を３５ｍｍとすると、距離Ｄ２は、平均体長の０．８１〜１．５倍である。
【００５４】
このように構成されたゴキブリ捕獲器２０１においては、誘引剤２５に誘引されたチャバネゴキブリＣ１及びクロゴキブリＣ２は、スロープ部４を介して蓋部材２０３まで登ってくる。蓋部材２０３まで登ってきたチャバネゴキブリＣ１は、誘引剤２５に誘われて容器本体２０２内へ侵入しようとするが、その接触走性から、直径が小さな第１侵入路２３２内へ侵入する。第１侵入路２３２へ侵入したチャバネゴキブリＣ１は、第１侵入路２３２に沿って、鉛直下向きの姿勢となる。やがて、チャバネゴキブリＣ１は、鉛直下向きの姿勢のまま、第１侵入路２３２の下端の第１侵入口２３３まで進む。この第１侵入口２３３の直下には、誘引剤２５が載置された第１着地台２２３が位置しているが、第１侵入口２３３から第１着地台２２３までの距離Ｄ１は、チャバネゴキブリＣ１が無理なく降りられる距離であるため、チャバネゴキブリＣ１は、何ら警戒することなく、第１着地台２２３へ降りる。その後、チャバネゴキブリＣ１は、容器２１０外へ出ようと、第１着地台２２３から第１侵入口２３３へよじ登ろうとするが、第１着地台２２３から第１侵入口２３３までの距離Ｄ１は、チャバネゴキブリＣ１の触角や前脚が届き難い距離に設定されているため、チャバネゴキブリＣ１は容器２１０外へ逃げ出すことができない。尚、以上の説明は、チャバネゴキブリＣ１が第２侵入路２３６へ侵入することを排除するものではなく、場合によっては第２侵入路２３６へ侵入するチャバネゴキブリＣ１も存在する。ただし、第２侵入口２３７から第２着地台２２６までの距離Ｄ２は、チャバネゴキブリＣ１が降り易い距離に設定されていないため、警戒心が弱いか又は好奇心が旺盛なチャバネゴキブリＣ１以外は、第２侵入口２３７を引き返してくる場合もあり得る。逆に、警戒心が弱いか又は好奇心が旺盛なチャバネゴキブリＣ１は、第２侵入口２３７から第２着地台２２６へ降りる場合もあり得る。
【００５５】
一方、蓋部材２０３まで登ってきたクロゴキブリＣ２は、その接触走性から、直径が大きな第２侵入路２３６内へ侵入する。第２侵入路２３６へ侵入したクロゴキブリＣ２は、第２侵入路２３６に沿って、鉛直下向きの姿勢となる。やがて、クロゴキブリＣ２は、鉛直下向きの姿勢のまま、第２侵入路２３６の下端の第２侵入口２３７まで進む。この第２侵入口２３７の直下には、誘引剤２５が載置された第２着地台２２６が位置しているが、第２侵入口２３７から第２着地台２２６までの距離Ｄ２は、クロゴキブリＣ２が無理なく降りられる距離であるため、クロゴキブリＣ２は、何ら警戒することなく、第２着地台２２６へ降りる。その後、クロゴキブリＣ２は、容器２１０外へ出ようと、第２着地台２２６から第２侵入口２３７へよじ登ろうとするが、第２着地台２２６から第２侵入口２３７までの距離Ｄ２は、クロゴキブリＣ２の触角や前脚が届き難い距離に設定されているため、クロゴキブリＣ２は容器２１０外へ逃げ出すことができない。また、第２着地台２２６は、第１着地台２２３と分離されているため、クロゴキブリＣ２は、第１着地台２２３へ渡ることもできない。
【００５６】
そして、第１及び第２侵入口２３３，２３７から脱出できないチャバネゴキブリＣ１及びクロゴキブリＣ２は、第１及び第２着地台２２３，２２６の周辺を囲む粘着剤２４に脚を踏み入れる。その結果、チャバネゴキブリＣ１及びクロゴキブリＣ２は、粘着剤２４に捕らえられると共に、粘着剤２４中に沈み込んでいく。こうして、ゴキブリ捕獲器２０１によって、チャバネゴキブリＣ１及びクロゴキブリＣ２が捕獲される。
【００５７】
尚、第１着地台２２３と第２着地台２２６とは分離されているが、１つの着地台であってもよい。その場合、第１侵入口２３３から着地台までの距離Ｄ１が１５〜３１ｍｍとなり且つ第２侵入口２３７から着地台までの距離Ｄ２が２９〜５３ｍｍとなるように、着地台を段差形状とするか、第１及び際２侵入路２３２，２３６の長さを調整する必要がある。ただし、クロゴキブリＣ２を第１侵入口２３３から脱出させない観点からは、第１着地台２２３と第２着地台２２６とを分離させることが好ましい。
【００５８】
《実施形態３》
続いて、実施形態３に係るゴキブリ捕獲器３０１について説明する。図４は、ゴキブリ捕獲器３０１の断面図を示す。
【００５９】
ゴキブリ捕獲器３０１は、侵入路が鉛直方向ではなく、水平方向に延びる点で、実施形態２に係るゴキブリ捕獲器２と異なる。
【００６０】
ゴキブリ捕獲器３０１は、上部が開口する円筒状の容器本体３０２と、容器本体３０２の上部開口に取り付けられる蓋部材３０３と、２つのスロープ部３４１，３４２とを有する容器３１０を備えている。
【００６１】
そして、容器本体３０２には、チャバネゴキブリ用の第１侵入路３３２及び第１侵入口３３３と、クロゴキブリ用の第２侵入路３３６及び第２侵入口３３７とが設けられている。第１侵入路３３２は、容器本体３０２の側壁３２２から容器本体３０２の内方へ水平方向（即ち、容器本体の底部と平行）に延びており、その先端に第１侵入口３３３が形成されている。つまり、第１侵入路３３２の出口が第１侵入口３３３を構成している。一方、第２侵入路３３６は、容器本体３０２の側壁３２２における、第１侵入路３３２とは容器本体３０２の軸心を挟んで反対側の位置に設けられている。第２侵入路３３６は、容器本体３０２の内方へ水平方向に延びており、その先端に第２侵入口３３７が形成されている。つまり、第２侵入路３３６の出口が第２侵入口３３７を構成する。尚、容器本体３０２における第１侵入路３３２の高さと、第２侵入路３３６の高さとは異なっている。具体的には、第１侵入路３３２の方が、第２侵入路３３６よりも高い位置に設けられている。ただし、これに限られるものではない。尚、第１及び第２侵入路３３２，３３６は、水平ではなく、傾斜していてもよい。
【００６２】
また、第１侵入路３３２の入口には、スロープ３４１が繋がっている。一方、第２侵入路３３６の入口には、スロープ３４２が繋がっている。スロープ３４１，３４２はそれぞれ、容器本体３０２の設置面（例えば、地面）と第１及び第２侵入路３３２，３３６の入口との間に傾斜した状態で掛け渡されている。つまり、スロープ３４１，３４２は、容器本体３０２の全周に設けられているのではなく、対応する侵入路３３２，３３６に対応する部分にだけ設けられている。
【００６３】
そして、第１及び第２侵入口３３３，３３７の直下には、それぞれ、第１及び第２着地台３２３，３２６が位置している。第１及び第２着地台３２３，３２６には、それぞれ誘引剤２５，２５が載置されている。
【００６４】
第１及び第２侵入路３３２，３３６の形状及び直径は、実施形態２と同様である。また、第１侵入口３３３（詳しくは、第１侵入口３３３の下端縁）から第１着地台３２３までの距離Ｄ１は、実施形態２と同様に、１５〜３１ｍｍに設定されている。第２侵入口３３７（詳しくは、第２侵入口３３７の下端縁）から第２着地台３２６までの距離Ｄ２は、実施形態２と同様に、２９〜５３ｍｍに設定されている。
【００６５】
ゴキブリ捕獲器３０１をこのように構成することによって、実施形態２と同様に、チャバネゴキブリＣ１とクロゴキブリＣ２を効率良く大量に捕獲することができる。
【００６６】
尚、ゴキブリ捕獲器３０１は、チャバネゴキブリ用とクロゴキブリ用の２種類の侵入路及び侵入口を必ずしも設ける必要はなく、チャバネゴキブリＣ１及びクロゴキブリＣ２の何れか一方を主な捕獲対象として、何れか一方のゴキブリに対応した侵入路及び侵入口を設けるだけであってもよい。
【００６７】
《その他の実施形態》
本発明は、前記実施形態について、以下のような構成としてもよい。
【００６８】
前記ゴキブリ捕獲器１，２０１，３０１は、スロープ部４、３４１，３４２を有しているが、スロープ部４、３４１，３４２の形状は前記の形状に限られるものではない。すなわち、スロープ部４は、容器本体２，２０２の周縁全体を囲って、円錐台の側周面を形成しているが、これに限られるものではない。例えば、スロープ部４は、容器本体２，２０２に全周に亘って設けられるのではなく、容器本体２，２０２の周縁の一部において、容器本体２，２０２の設置面（例えば、地面）から容器本体２，２０２の上部へ傾斜した状態で掛け渡される構成であってもよい。尚、スロープ部４，３４１，３４２を省略してもよい。ただし、ゴキブリを侵入路の入口まで誘導する点においては、スロープ部４，３４１，３４２が設けられている方が好ましい。
【００６９】
また、容器本体２，２０２，３０２は、円筒状である必要はなく、平面視多角形状をしていてもよい。
【００７０】
また、容器本体２，２０２，３０２内には、ゴキブリＣを逃がすことなく捕らえることができる粘着性と、捕らえたゴキブリＣがその自重で沈んでいくだけの柔軟性とを備えた粘着剤２４が収容されているが、これに限られるものではない。例えば、容器本体２，２０２，３０２内には、粘着剤２４が設けられておらず、ゴキブリが容器本体２，２０２，３０２内を事由に動き回れる状態であってもよい。あるいは、容器本体２，２０２，３０２内に、粘着剤２４の代わりに、粘着シートを設けた構成であってもよい。かかる場合であっても、ゴキブリに警戒心を与えない観点から、着地台２３，２２３，２２６，３２３，３２６の着地面には粘着シートを設けないことが好ましい。
【００７１】
さらに、容器本体２，２０２，３０２内に着地台２３，２２３，２２６，３２３，３２６を設けない構成であってもよい。ただし、ゴキブリに警戒心を与えることなく容器本体２，２０２，３０２内に降ろさせるためには、侵入口の直下が粘着剤２４ではなく、着地台２３，２２３，２２６，３２３，３２６である方が好ましい。
【００７２】
また、侵入路３２，２３２，２３６，３３２，３３６及び侵入口３３，２３３，２３７，３３３，３３７の形状は、前記実施形態に限られるものではない。例えば、侵入路３２，２３２，２３６，３３２，３３６は、円筒に限られるものではなく、断面多角形であってもよい。あるいは、侵入路３２，２３２，２３６，３３２，３３６が省略され、容器本体２，２０２，３０２に侵入口３３，２３３，２３７，３３３，３３７が直接形成されていてもよい。また、侵入口３３，２３３，２３７，３３３，３３７は、円形に限られるものではなく、多角形であってもよい。
【００７３】
尚、以上の実施形態は、本質的に好ましい例示であって、本発明、その適用物、あるいはその用途の範囲を制限することを意図するものではない。
【実施例】
【００７４】
続いて、本発明の実施例について説明する。尚、以下の実験に用いた各種ゴキブリの平均体長は次の通りである。雄のチャバネゴキブリが１２．７ｍｍ、雌のチャバネゴキブリが１１．６ｍｍ、雄のクロゴキブリが２９．１ｍｍ、雌のクロゴキブリが３１．４ｍｍである。
【００７５】
−実験Ｉ−
図５は、実験Ｉに用いた装置の斜視図を示す。実験Ｉでは、ゴキブリが降り易い距離を調べる実験を行った。具体的には、図５に示すような容器５１０内に、実験用のゴキブリ捕獲器４０１を設置した。
【００７６】
容器５１０は、透明なアクリル板で構成された、２４ｃｍ×２４ｃｍ×１０ｃｍの略直方体の箱状容器である。
【００７７】
ゴキブリ捕獲器４０１は、基本的には実施形態１と同様の構成をしている。詳しくは、ゴキブリ捕獲器４０１は、上部が開口する円筒状の容器本体４０２、及び、容器本体４０２の上部開口に取り付けられる蓋部材４０３を有する容器４１０と、容器４１０に隣接された２つのスロープ（図示省略）とを備えている。容器４１０は、ＰＥＴ製のカップ状容器である。
【００７８】
容器本体４０２には、粘着剤２４が設けられていない。その代わりに、容器本体４０２の底には、粘着シートを敷き詰めている。そして、粘着シートの上に、誘引剤が設置されている。スロープは、ゴキブリが容器４１０の蓋部材４０３上まで登り易くするためのものである。具体的には、スロープは、２つの細長い板を十字に組んで構成したものであって、容器本体４０２に立て掛けている。
【００７９】
蓋部材４０３には、赤色のセロファンが貼られている。蓋部材４０３の中央には、容器本体４０２の内方へ鉛直方向に延びる円筒状の侵入路４３２が形成されている。侵入路４３２の先端に侵入口４３３が形成されている。容器本体４０２の底面のうち侵入口４３３の直下の部分には、着地台の代わりに、紙製の着地部（図示省略）が設けられている。この着地部を設けることによって、ゴキブリが容器本体４０２内へ降りる際の警戒心を軽減することができる。
【００８０】
容器４１０は、チャバネゴキブリ用とクロゴキブリ用との２種類ある。チャバネゴキブリ用の容器４１０は、直径８０ｍｍ×高さ３４ｍｍである。クロゴキブリ用の容器４１０は、直径１００ｍｍ×高さ６４ｍｍである。侵入路４３２及び侵入口４３３の直径は、チャバネゴキブリ用及びクロゴキブリ用ともに、２５ｍｍである。侵入路４３２の長さを、後述するように、適宜調整している。
【００８１】
容器５１０内にゴキブリを放ち、５時間後に、ゴキブリ捕獲器４０１内に捕獲されたゴキブリの数を計数した。実験室内の温度は、２４℃であり、容器５１０の周囲の明るさは、４００ルクスに設定した。この実験を、侵入路４３２の長さを変えることによって、侵入口４３３から、容器本体４０２における、侵入口４３３の直下の部分までの距離Ｄを変更しながら行った。各距離Ｄについて、１０回の実験を行った。また、チャバネゴキブリとクロゴキブリの２種類のゴキブリに対して前記の実験を行った。このとき、各種類において雄と雌とで別々に実験を行った。具体的には、チャバネゴキブリについては、雄雌それぞれ、１０匹のチャバネゴキブリを用いて実験を行った。クロゴキブリについては、雄雌それぞれ、６匹のチャバネゴキブリを用いて実験を行った。
【００８２】
−実験II−
図６は、実験IIに用いた装置の斜視図を示す。実験IIでは、ゴキブリが逃げ難い距離を調べる実験を行った。具体的には、図６に示すような容器５２０内に、実験用のゴキブリ捕獲器４０１と、別の確認用のゴキブリ捕獲器５２１とを設置した。
【００８３】
容器５２０は、透明なアクリル板で構成された、７０ｃｍ×３５ｃｍ×１８ｃｍの略直方体の箱状容器である。この容器５２０内に、２つのゴキブリ捕獲器４０１，４０１と、３つのゴキブリ捕獲器５２１，５２１，５２１とを配置した。３つのゴキブリ捕獲器５２１，５２１，５２１は、２つのゴキブリ捕獲器４０１，４０１をそれぞれ挟むように配置した。
【００８４】
ゴキブリ捕獲器４０１は、基本的には実験Ｉで用いたゴキブリ捕獲器と同様の構成をしている。ただし、容器本体２内には、粘着シートが設けられていない。そのため、容器本体２内のゴキブリは、容器本体２内を自由に動き回ることができる。また、容器本体２内には、誘引剤が設けられていない。さらに、容器本体２の側壁の内周面には、ゴキブリが側壁をよじ登らないように、ワセリンが塗布されている。
【００８５】
容器４１０は、実験Ｉと同様に、チャバネゴキブリ用とクロゴキブリ用との２種類ある。チャバネゴキブリ用の容器４１０は、直径８０ｍｍ×高さ３４ｍｍである。クロゴキブリ用の容器４１０は、直径１００ｍｍ×高さ６４ｍｍである。侵入路４３２及び侵入口４３３の直径は、チャバネゴキブリ用及びクロゴキブリ用ともに、２５ｍｍである。侵入路４３２の長さを、後述するように、適宜調整している。
【００８６】
ゴキブリ捕獲器５２１は、側方に侵入口が設けられた紙製の容器を備え、容器内の床となる面に粘着シートが設けられた、一般的な捕獲器である。このゴキブリ捕獲器５２１は、ゴキブリ捕獲器４０１から脱出したゴキブリが再びゴキブリ捕獲器４０１に侵入しないように、脱出したゴキブリを確保しておくためのものである。
【００８７】
各ゴキブリ捕獲器４０１に、１匹のゴキブリを入れ、２４時間後に、ゴキブリ捕獲器１を脱出したか否かを確認した。実験室内の温度は、２５℃であり、容器５２０の周囲の明るさは、４００ルクスに設定した。
【００８８】
この実験を、侵入路４３２の長さを変えることによって、侵入口４３３から、容器本体４０２における、侵入口４３３の直下の部分までの距離Ｄを変更しながら行った。各距離Ｄについて、１０回の実験を行った。詳しくは、容器５２０内に２つのゴキブリ捕獲器４０１，４０１を設けているため、各距離Ｄについて１度に２回の実験を行うことができる。それを、５回繰り返すことで、各距離Ｄに対して計１０回の実験を行った。この実験を、チャバネゴキブリとクロゴキブリとの雄と雌のそれぞれについて、行った。
【００８９】
−チャバネゴキブリの結果−
チャバネゴキブリについての実験Ｉと実験IIの結果を、図７〜９に示す。図７は、雄のチャバネゴキブリについての、距離Ｄに対する降り率及び脱出率であり、図８は、雌のチャバネゴキブリについての、距離Ｄに対する降り率及び脱出率であり、図９は、雌雄合わせたチャバネゴキブリについての、距離Ｄに対する降り率及び脱出率である。
【００９０】
図７からわかるように、距離Ｄが７〜２９ｍｍであれば、雄のチャバネゴキブリが略５０％以上という高い確率で容器本体４０２内に降りる。好ましくは、距離Ｄを１５〜２７ｍｍとすることによって、雄のチャバネゴキブリの降り率を略９０％（詳しくは、略８０〜１００％）とすることができる。一方、距離Ｄを１５ｍｍ以上とすることによって、雄のチャバネゴキブリの脱出率を略６０％以下という低い確率に抑制できる。好ましくは、距離Ｄを１７ｍｍ以上とすることによって、雄のチャバネゴキブリの脱出率を略０％とすることができる。したがって、距離Ｄを１５〜２９ｍｍとすることによって、雄のチャバネゴキブリが降り易く且つ脱出し難いゴキブリ捕獲器を実現することができる。好ましくは、距離Ｄを１７〜２７ｍｍとすることによって、雄のチャバネゴキブリがより降り易く且つより脱出し難いゴキブリ捕獲器を実現することができる。
【００９１】
尚、降り率が距離Ｄが１５ｍｍ未満、さらには７ｍｍ未満で減少しているのは、容器本体４０２の底面と侵入路４３２との配置によるものと考えられる。すなわち、侵入路４３２が容器本体４０２の底面に対して垂直に延び且つ侵入口４３３と容器本体４０２の底面との距離が短いため、侵入口４３３の直下に容器本体４０２の底面が広がっているというよりはむしろ、侵入口４３３が容器本体４０２の底面で塞がれている状態となっている。そのため、侵入路４３２を降りてきたゴキブリは、侵入路４３２の先端が塞がっているとして、容器本体４０２の底面に降りることなく、侵入路４３２を引き返すものと考えられる。侵入路４３２が容器本体４０２の底面と平行に延びる場合には、降り率はより高いと考えられる。
【００９２】
また、図８からわかるように、距離Ｄが５〜３１ｍｍであれば、雌のチャバネゴキブリが略５０％以上という高い確率で容器本体４０２内に降りる。好ましくは、距離Ｄを１３〜２９ｍｍとすることによって、雌のチャバネゴキブリの降り率を略９０％（詳しくは、略８０〜１００％）とすることができる。一方、距離Ｄを１９ｍｍ以上とすることによって、雌のチャバネゴキブリの脱出率を略２０％以下という低い確率に抑制できる。好ましくは、距離Ｄを２１ｍｍ以上とすることによって、雌のチャバネゴキブリの脱出率を略０％とすることができる。したがって、距離Ｄを１９〜３１ｍｍとすることによって、雌のチャバネゴキブリが降り易く且つ脱出し難いゴキブリ捕獲器を実現することができる。好ましくは、距離Ｄを２１〜２９ｍｍとすることによって、雌のチャバネゴキブリがより降り易く且つより脱出し難いゴキブリ捕獲器を実現できる。
【００９３】
以上のことから、距離Ｄを１５〜３１ｍｍとすることによって、雄及び雌の少なくとも一方のチャバネゴキブリに対して降り易く且つ脱出し難いゴキブリ捕獲器とすることができる。詳しくは、当該範囲における距離Ｄが短い領域では、特に雄のチャバネゴキブリに有効であり、当該範囲における距離Ｄが長い領域では、特に雌のチャバネゴキブリに有効である。例えば、距離Ｄを１５ｍｍとすることによって、少なくとも雄のチャバネゴキブリにとっては降り易く且つ脱出し難いゴキブリ捕獲器とすることができるため、少なくとも雄のチャバネゴキブリを効率よく捕獲することができる。また、１５ｍｍという距離は、雌のチャバネゴキブリにとっても、降り易い距離である。そして、距離Ｄが１５ｍｍであれば、雌のチャバネゴキブリであっても、必ず脱出できるわけではなく、脱出率を略６０％に抑えることができる。つまり、雌のチャバネゴキブリを容易に容器内に侵入させ、そのうちの一部については容器内に捕獲し続けることができる。さらに、前記実施形態によれば、容器内には粘着剤２４が設けられているため、侵入口から脱出する前に粘着剤２４に触れたゴキブリは粘着剤２４により捕獲されるため、脱出率をさらに低減させることができる。一方、距離Ｄを３１ｍｍとすることによって、少なくとも雌のチャバネゴキブリの降り率を向上させ且つ脱出率を低減させることができるため、少なくとも雌のチャバネゴキブリを効率良く捕獲することができる。また、距離Ｄが３１ｍｍの場合の雄のチャバネゴキブリの降り率は略１０％である。すなわち、距離Ｄが３１ｍｍであっても、雄のチャバネゴキブリが容器内に全く降りないわけではなく、一部の雄のチャバネゴキブリは容器内に降りる。そして、この３１ｍｍという距離は、雄のチャバネゴキブリにとっては脱出率略０％であるため、容器内に降りた、一部の雄のチャバネゴキブリを容器内に確実に捕獲することができる。よって、距離Ｄを１５〜３１ｍｍとすることによって、雄雌のうち少なくとも一方のチャバネゴキブリを効率よく捕獲することができる。
【００９４】
好ましくは、距離Ｄを１７〜２９ｍｍとすることによって、雄及び雌の少なくとも一方のチャバネゴキブリに対して、より一層、降り易く且つ脱出し難いゴキブリ捕獲器とすることができる。すなわち、距離Ｄの下限値である１７ｍｍにおいては、雄のチャバネゴキブリの降り率をさらに向上させ且つ脱出率をさらに低下させることができる。一方、距離Ｄの上限値である２９ｍｍにおいては、雌のチャバネゴキブリの降り率をさらに向上させ且つ脱出率をさらに低下させることができる。つまり、雄及び雌の少なくとも一方のチャバネゴキブリをより一層効率良く捕獲することができる。
【００９５】
さらに、チャバネゴキブリの雌雄の平均については、図９からわかるように、距離Ｄが７〜２９ｍｍであれば、チャバネゴキブリが略５０％以上という高い確率で容器本体４０２内に降りる。好ましくは、距離Ｄを１３〜２７ｍｍとすることによって、チャバネゴキブリの降り率を略９０％（詳しくは、略８０〜１００％）とすることができる。一方、距離Ｄを１５ｍｍ以上とすることによって、チャバネゴキブリの脱出率を略６０％以下という低い確率に抑制できる。好ましくは、距離Ｄを１９ｍｍ以上とすることによって、チャバネゴキブリの脱出率を略１０％以下とすることができる。したがって、距離Ｄを１５〜２９ｍｍとすることによって、チャバネゴキブリに対して、降り易く且つ脱出し難いゴキブリ捕獲器とすることができる。好ましくは、距離Ｄを１９〜２９ｍｍとすることによって、チャバネゴキブリに対して、さらに降り易く且つ脱出し難いゴキブリ捕獲器とすることができる。さらに好ましくは、距離Ｄを２１〜２７ｍｍとすることによって、チャバネゴキブリに対して、より一層降り易く且つ脱出し難いゴキブリ捕獲器とすることができる。
【００９６】
尚、降り率の方が脱出率よりも高く且つその乖離が大きい場合には、ゴキブリを効率良く捕獲できるゴキブリ捕獲器ということができる。この観点から、実験Ｉ，IIの結果を考察すると、距離Ｄを１５〜２９ｍｍとすることによって、降り率と脱出率との乖離を略３０％以上とすることができ、チャバネゴキブリを効率良く捕獲できるゴキブリ捕獲器とすることができる。好ましくは、距離Ｄを１７〜２７ｍｍとすることによって、降り率と脱出率との乖離を略５０％以上とすることができ、チャバネゴキブリをより一層効率良く捕獲できるゴキブリ捕獲器とすることができる。さらに好ましくは、距離Ｄを２１〜２７ｍｍとすることによって、降り率と脱出率との乖離を略９０％以上とすることができる。
【００９７】
−クロゴキブリの結果−
クロゴキブリについての実験Ｉと実験IIの結果を、図１０〜１２に示す。図１０は、雄のクロゴキブリについての、距離Ｄに対する降り率及び脱出率であり、図１１は、雌のクロゴキブリについての、距離Ｄに対する降り率及び脱出率であり、図１２は、雌雄合わせたクロゴキブリについての、距離Ｄに対する降り率及び脱出率である。
【００９８】
図１０からわかるように、距離Ｄが１５〜４７ｍｍであれば、雄のクロゴキブリが略４０％以上という高い確率で容器本体４０２内に降りる。好ましくは、距離Ｄを１５〜４５ｍｍとすることによって、雄のクロゴキブリの降り率を略５０％以上とすることができる。一方、距離Ｄを２９ｍｍ以上とすることによって、雄のクロゴキブリの脱出率を略６０％以下という低い確率に抑制できる。好ましくは、距離Ｄを３１ｍｍ以上とすることによって、雄のクロゴキブリの脱出率を略２５％以下とすることができる。より好ましくは、距離Ｄを３９ｍｍとすることによって、雄のクロゴキブリの脱出率を略０％とすることができる。したがって、距離Ｄを２９〜４７ｍｍとすることによって、雄のクロゴキブリが降り易く且つ脱出し難いゴキブリ捕獲器を実現することができる。好ましくは距離Ｄを３１〜４５ｍｍと、より好ましくは距離Ｄを３９〜４５ｍｍとすることによって、雄のクロゴキブリがより一層降り易く且つより脱出し難いゴキブリ捕獲器を実現することができる。
【００９９】
また、図１１からわかるように、距離Ｄが１５〜４９ｍｍであれば、雌のクロゴキブリが略４０％以上という高い確率で容器本体４０２内に降りる。好ましくは、距離Ｄを１５〜４７ｍｍとすることによって、雌のクロゴキブリの降り率を略５０％以上とすることができる。一方、距離Ｄを３３ｍｍ以上とすることによって、雌のクロゴキブリの脱出率を略６０％以下という低い確率に抑制できる。好ましくは、距離Ｄを３９ｍｍ以上とすることによって、雌のクロゴキブリの脱出率を略０％とすることができる。したがって、距離Ｄを３３〜４９ｍｍとすることによって、雌のクロゴキブリが降り易く且つ脱出し難いゴキブリ捕獲器を実現することができる。好ましくは距離Ｄを３９〜４７ｍｍとすることによって、雌のクロゴキブリがより一層降り易く且つより脱出し難いゴキブリ捕獲器を実現できる。
【０１００】
以上のことから、距離Ｄを２９〜４９ｍｍとすることによって、雄及び雌の少なくとも一方のクロゴキブリに対して降り易く且つ脱出し難いゴキブリ捕獲器とすることができる。詳しくは、当該範囲における距離Ｄが短い領域では、特に雄のクロゴキブリに有効であり、当該範囲における距離Ｄが長い領域では、雄及び雌の両方のクロゴキブリに有効である。例えば、距離Ｄを２９ｍｍとすることによって、少なくとも雄のクロゴキブリにとっては降り易く且つ脱出し難いゴキブリ捕獲器とすることができるため、少なくとも雄のクロゴキブリを効率よく捕獲することができる。また、２９ｍｍという距離は、雌のクロゴキブリにとっても、降り易い距離である。そして、距離Ｄが２９ｍｍであれば、雌のクロゴキブリであっても、必ず脱出できるわけではなく、脱出率を略７５％に抑えることができる。つまり、雌のクロゴキブリを容易に容器内に侵入させ、そのうちの一部については容器内に捕獲し続けることができる。さらに、前記実施形態によれば、容器内には粘着剤２４が設けられているため、侵入口から脱出する前に粘着剤２４に触れたゴキブリは粘着剤２４により捕獲されるため、脱出率をさらに低減させることができる。一方、距離Ｄを４９ｍｍとすることによって、少なくとも雌のクロゴキブリの降り率を向上させ且つ脱出率を低減させることができるため、少なくとも雌のクロゴキブリを効率良く捕獲することができる。また、距離Ｄが４９ｍｍの場合の雄のクロゴキブリの降り率は略２０％である。すなわち、距離Ｄが４９ｍｍであっても、雄のクロゴキブリが容器内に全く降りないわけではなく、一部の雄のクロゴキブリは容器内に降りる。そして、この４９ｍｍという距離は、雄のクロゴキブリにとっては脱出率略０％であるため、容器内に降りた、一部の雄のクロゴキブリを容器内に確実に捕獲することができる。よって、距離Ｄを２９〜４９ｍｍとすることによって、雄雌のうち少なくとも一方のクロゴキブリを効率よく捕獲することができる。
【０１０１】
好ましくは、距離Ｄを３１〜４７ｍｍとすることによって、雄及び雌の少なくとも一方のクロゴキブリに対して、さらに降り易く且つ脱出し難いゴキブリ捕獲器とすることができる。すなわち、距離Ｄの下限値である３１ｍｍにおいては、雄のクロゴキブリの降り率をさらに向上させ且つ脱出率をさらに低下させることができる。一方、距離Ｄの上限値である４７ｍｍにおいては、雌のクロゴキブリの降り率をさらに向上させ且つ脱出率をさらに低下させることができる。つまり、雄及び雌の少なくとも一方のクロゴキブリをさらに効率良く捕獲することができる。
【０１０２】
また、距離Ｄを３９〜４７ｍｍとすることによって、雄及び雌の少なくとも一方のクロゴキブリに対して、より一層、降り易く且つ脱出し難いゴキブリ捕獲器とすることができる。つまり、雄及び雌の少なくとも一方のクロゴキブリをより一層効率良く捕獲することができる。
【０１０３】
さらに、クロゴキブリの雌雄の平均については、図１２からわかるように、距離Ｄが１５〜４９ｍｍであれば、クロゴキブリが略３０％以上という高い確率で容器本体４０２内に降りる。好ましくは、距離Ｄを１５〜４７ｍｍとすることによって、クロゴキブリの降り率を略４０％とすることができる。一方、距離Ｄを３１ｍｍ以上とすることによって、クロゴキブリの脱出率を略４５％以下という低い確率に抑制できる。好ましくは、距離Ｄを３５ｍｍ以上とすることによって、クロゴキブリの脱出率を略３０％以下とすることができる。したがって、距離Ｄを３１〜４９ｍｍとすることによって、クロゴキブリに対して、降り易く且つ脱出し難いゴキブリ捕獲器とすることができる。好ましくは、距離Ｄを３５〜４７ｍｍとすることによって、クロゴキブリに対して、より一層降り易く且つ脱出し難いゴキブリ捕獲器とすることができる。
【０１０４】
尚、降り率が脱出率よりも高い側に乖離しているか否かという観点で図１０〜１２を考察すると、距離Ｄを２９〜５３ｍｍとすることによって、雄及び雌の少なくとも一方のクロゴキブリに対して、降り率と脱出率との乖離を略２０％以上とすることができ、クロゴキブリを効率良く捕獲できるゴキブリ捕獲器とすることができる。好ましくは、距離Ｄを３１〜４９ｍｍとすることによって、降り率と脱出率との乖離を略３０％以上とすることができ、クロゴキブリをさらに効率良く捕獲できるゴキブリ捕獲器とすることができる。さらに好ましくは、距離Ｄを３９〜４７ｍｍとすることによって、雄及び雌の何れのクロゴキブリに対しても、降り率と脱出率との乖離を略４０％以上とすることができる。
【０１０５】
−実験Ｉ，IIのまとめ−
したがって、距離Ｄを１５〜５３ｍｍの範囲で設定することによって、雄のチャバネゴキブリ、雌のチャバネゴキブリ、雄のクロゴキブリ及び雌のクロゴキブリの少なくとも１つを効率良く捕獲することができる。
【０１０６】
すなわち、日本における、家屋、ビル、乗物等の屋内に生息する多くのゴキブリは、チャバネゴキブリかクロゴキブリである。つまり、屋内にはチャバネゴキブリとクロゴキブリとの少なくとも二種類のゴキブリがよく生息している。チャバネゴキブリとクロゴキブリとでは、体格に加えて、警戒心の強弱も異なり、適切なゴキブリ捕獲器の構成も異なり得る。さらに、同一種類のゴキブリであっても、雄と雌とでは、体格が異なるため、適切なゴキブリ捕獲器の構成も異なり得る。すなわち、屋内には、雄のチャバネゴキブリ、雌のチャバネゴキブリ、雄のクロゴキブリ及び雌のクロゴキブリの４種類の、体格及び警戒心の強弱が異なるゴキブリが多く生息している。
【０１０７】
つまり、距離Ｄを１５〜５３ｍｍとすることによって、日本の屋内によく生息している前記４種類のゴキブリの少なくとも１つを効率良く捕獲することができる。
【０１０８】
そして、距離Ｄを当該範囲の中から適宜設定することによって、前記４種類のゴキブリの何れかに対して特に効果的なゴキブリ捕獲器とすることができる。詳しくは、距離Ｄを１５〜３１ｍｍに設定することによって、特にチャバネゴキブリに有効とすることができる。また、距離Ｄを２９〜５３ｍｍに設定することによって、特にクロゴキブリに有効とすることができる。
【０１０９】
好ましくは、距離Ｄを１５〜４９ｍｍとすることによって、雄のチャバネゴキブリ、雌のチャバネゴキブリ、雄のクロゴキブリ及び雌のクロゴキブリの少なくとも１つに対して、降り易く且つ脱出し難いゴキブリ捕獲器とすることができる。そして、距離Ｄを当該範囲の中から適宜設定することによって、前記４種類のゴキブリの何れかに対して特に効果的なゴキブリ捕獲器とすることができる。詳しくは、距離Ｄを１５〜３１ｍｍに設定することによって、特にチャバネゴキブリに有効とすることができる。また、距離Ｄを２９〜４９ｍｍに設定することによって、特にクロゴキブリに有効とすることができる。そして、両範囲の重複する２９〜３１ｍｍに距離Ｄを設定することによって、チャバネゴキブリにもクロゴキブリにも有効とすることができる。尚、ここで、「有効」とは、該当するゴキブリに特に効果があることを意味するのであって、それ以外のゴキブリにとっては効果がないことを意味するのではなく、それ以外のゴキブリにも効果があり得る。
【０１１０】
さらに、チャバネゴキブリに適した１５〜３１ｍｍの範囲のうち１５〜１９ｍｍに距離Ｄを設定することによって、特に雄のチャバネゴキブリに対して有効とすることができる。一方、距離Ｄを当該範囲のうち２９〜３１ｍｍに設定することによって、特に雌のチャバネゴキブリに対して有効とすることができる。そして、距離Ｄを当該範囲のうち１９〜２９ｍｍに設定することによって、雄及び雌の何れのチャバネゴキブリに対しても有効とすることができる。好ましくは、距離Ｄを当該範囲のうち２１〜２７ｍｍに設定することによって、雄及び雌の何れのチャバネゴキブリに対してより一層有効とすることができる。
【０１１１】
また、クロゴキブリに適した２９〜５３ｍｍの範囲のうち２９〜３１ｍｍに距離Ｄを設定することによって、特に雄のクロゴキブリに対して有効とすることができる。一方、距離Ｄを当該範囲のうち５１〜５３ｍｍに設定することによって、特に雌のクロゴキブリに対して有効とすることができる。そして、距離Ｄを当該範囲のうち３１〜５１ｍｍとすることによって、雄及び雌の何れのクロゴキブリに対しても有効とすることができる。好ましくは、距離Ｄを当該範囲のうち３９〜４７ｍｍとすることによって、雄及び雌の何れのクロゴキブリに対してより一層有効とすることができる。
【０１１２】
−実験III−
続いて、ゴキブリに容器内への侵入を促すために好適な侵入路の長さを調べる実験を行った。具体的には、実験Ｉと同様の容器５１０内に、実験用のゴキブリ捕獲器４０１を設置した。
【０１１３】
ゴキブリ捕獲器４０１は、基本的には実験Ｉと同様の構成をしている。実験IIIでは、侵入路４３２の長さが異なる５種類のゴキブリ捕獲器４０１が用意されている。具体的には、５種類の侵入路４３２の長さは、０ｍｍ（即ち、侵入路４３２がなく、蓋部材４０３に侵入口４３３となる開口が形成されている。），２ｍｍ，４ｍｍ，９ｍｍ，１３ｍｍである。また、ゴキブリ捕獲器４０１には、着地台４２３が設けられている。着地台４２３は、侵入路４３２の長さに応じて５種類、用意されている。侵入路４３２の長さに応じて着地台４２３を変えることによって、侵入口４３３から着地台４２３までの距離Ｄを２１ｍｍで一定となるように調整している。
【０１１４】
ゴキブリ捕獲器４０１は、実験Ｉと同様に、チャバネゴキブリ用とクロゴキブリ用との２種類がある。
【０１１５】
チャバネゴキブリについては、容器５１０内に雄５匹、雌５匹のチャバネゴキブリを放し、全てのチャバネゴキブリがゴキブリ捕獲器１内に侵入するまでの時間を計測した。実験室内の温度は、２４℃であり、容器５１０の周囲の明るさは、４００ルクスに設定した。
【０１１６】
この実験を、侵入路４３２の長さを０，２，４，９，１３ｍｍで変えて行った。このとき、着地台４２３を適宜選択することによって、距離Ｄが２１ｍｍで一定となるようにしている。侵入路４３２の各長さについて、５回の実験を行った。
【０１１７】
クロゴキブリについては、容器５１０内に雄３匹、雌３匹のクロゴキブリを放し、全てのクロゴキブリがゴキブリ捕獲器１内に侵入するまでの時間を計測した。実験室内の温度は、２４℃であり、容器５１０の周囲の明るさは、４００ルクスに設定した。
【０１１８】
この実験を、侵入路４３２の長さを０，２，６，１５，２５ｍｍで変えて行った。このとき、着地台４２３を適宜選択することによって、距離Ｄが３９ｍｍで一定となるようにしている。侵入路４３２の各長さについて、４回の実験を行った。
【０１１９】
−チャバネゴキブリの結果−
チャバネゴキブリについての実験IIIの結果を図１３に示す。図１３は、チャバネゴキブリについての、侵入路の長さに対する、ゴキブリを捕獲するまでの所要時間を示すグラフである。
【０１２０】
図１３からわかるように、侵入路４３２が０ｍｍ、即ち、侵入路４３２が無いゴキブリ捕獲器４０１と比べて、侵入路４３２が設けられたゴキブリ捕獲器４０１の方がチャバネゴキブリを捕獲するまでの所要時間が短い。また、侵入路４３２が４ｍｍ以上の場合には、侵入路４３２が無い場合と比べて有意な差がある。したがって、侵入路４３２を２ｍｍ以上とすることによって、チャバネゴキブリを捕獲するまでの所要時間が短くなることがわかる。好ましくは、侵入路４３２を４ｍｍ以上とすることによって、チャバネゴキブリを捕獲するまでの所要時間が大幅に短くなることがわかる。
【０１２１】
−クロゴキブリの結果−
クロゴキブリについての実験IIIの結果を図１４に示す。図１４は、クロゴキブリについての、侵入路の長さに対する、ゴキブリを捕獲するまでの所要時間を示すグラフである。
【０１２２】
図１４からわかるように、侵入路４３２が０ｍｍ、即ち、侵入路４３２が無いゴキブリ捕獲器４０１と比べて、侵入路４３２が設けられたゴキブリ捕獲器４０１の方がクロゴキブリを捕獲するまでの所要時間が短い。また、侵入路４３２が２ｍｍ以上の場合には、侵入路４３２が無い場合と比べて有意な差がある。したがって、侵入路４３２を２ｍｍ以上とすることによって、クロゴキブリを捕獲するまでの所要時間が大幅に短くなることがわかる。
【０１２３】
−実験IIIのまとめ−
したがって、侵入路４３２を設けることによって、侵入路４３２を設けない構成と比較して、ゴキブリをゴキブリ捕獲器４０１内へ誘導することができる。
【０１２４】
そして、チャバネゴキブリに対しては、侵入路４３２の長さを２ｍｍ以上とすることが好ましく、４ｍｍ以上とすることがさらに好ましい。
【０１２５】
クロゴキブリに対しては、侵入路４３２の長さを２ｍｍ以上とすることが好ましい。
【産業上の利用可能性】
【０１２６】
以上説明したように、本発明は、容器内にゴキブリを捕獲するゴキブリ捕獲器について有用である。
【符号の説明】
【０１２７】
１，２０１，３０１，４０１    ゴキブリ捕獲器
１０，２１０，３１０，４１０    容器
３２，２３２，２３６，３３２，３３６，４３２    侵入路
３３，２３３，２３７，３３３，３３７，４３３    侵入口
【図１】
0006016325.tif 000002
【図２】
0006016325.tif 000003
【図３】
0006016325.tif 000004
【図４】
0006016325.tif 000005
【図５】
0006016325.tif 000006
【図６】
0006016325.tif 000007
【図７】
0006016325.tif 000008
【図８】
0006016325.tif 000009
【図９】
0006016325.tif 000010
【図１０】
0006016325.tif 000011
【図１１】
0006016325.tif 000012
【図１２】
0006016325.tif 000013
【図１３】
0006016325.tif 000014
【図１４】
0006016325.tif 000015